(57)【要約】      （修正有）【課題】着用時にマスク面の上端縁と顔表面との間に隙間が生じることを適切に防止し、この結果、ウイルスなどの侵入をより確実に抑止できるマスクを提供する。【解決手段】マスク１は、略矩形状のマスク面１ａと、マスク面１ａの左右端に設けられたゴム紐１ｃと、を備える。マスク面１ａは、その上端縁１０と下端縁１１から連続形成されて、且つ表側から裏側に向けて折り返された折り返し面１２と、折り返し面１２を折り返した状態でマスク面１ａの上端近傍及び下端近傍において横方向に縫われた一対の横ステッチＨ１、Ｈ２と、折り返し面１２を折り返した状態でマスク面１ａの右端近傍及び左端近傍において縦方向に縫われた一対の縦ステッチＶ１、Ｖ２と、を有する。【選択図】図１
0003227244.tif 000002
【実用新案登録請求の範囲】
【請求項１】
略矩形状のマスク面と、当該マスク面の左右端に設けられた耳紐と、を備えるマスクであって、
前記マスク面は、
その上端縁と下端縁から連続形成され、且つ表側から裏側に向けて折り返された折り返し面と、
当該折り返し面を折り返した状態で、当該マスク面の上端近傍及び下端近傍において横方向に縫われた一対の横ステッチと、
当該折り返し面を折り返した状態で、当該マスク面の右端近傍及び左端近傍において縦方向に縫われた一対の縦ステッチと、を有することを特徴とするマスク。
【請求項２】
前記折り返し面は、前記マスク面の長側辺と同じ長さの長辺を有した矩形状であり、且つ前記マスク面の表面積の１／５〜１／３の範囲内となるように折り返される、ことを特徴とする請求項１記載のマスク。
【請求項３】
前記マスク面は、布生地で形成され、
前記折り返し面は、同一形状の布生地が二重に折り重なって構成される、ことを特徴とする請求項１又は２記載のマスク。
【考案の詳細な説明】
【技術分野】
【０００１】
本考案は、マスクに関し、特に、マスク用型紙を用いて家庭などで製作可能なマスクに関する。
【背景技術】
【０００２】
従来より、花粉や粉塵の体内への侵入を防止する防塵用や、咳やくしゃみなどにより発生する飛沫やウイルスなどの侵入及び飛散を防止する衛生用にマスクが使用されている。特に、近年コロナウイルスによる世界的なパンデミックが発生し、衛生的な理由によりマスクを常時着用する場面が非常に多くなっている。
【０００３】
マスクには、ポリプロピレン不織布、フィルタなどを多層に積層して構成される非常に軽量な使い捨てタイプと、ガーゼや布生地などのシート材から構成されて使用後に洗濯をすることで付着物を除去して繰り返し使用可能なタイプとがある。この繰り返し使用タイプのマスクは、比較的粒径の大きい粒子の捕捉するものである。
【０００４】
ところで、マスクを着用すると、マスク面の上端縁と顔表面とが密着せずに大きな隙間が生じることがあり、特にウイルス感染防止の観点から問題となっている。この対策のために、例えばノーズフィッタのような形状保持をするテープやワイヤが鼻に当たる箇所に設けられた市販マスクがある。
【０００５】
また、例えば、押さえ部材によってマスク本体部を鼻へ向い押さえつけることでマスク本体部を鼻の外形に沿って保形し、鼻とマスク本体部との間に隙間が発生するのを防止したマスクが開示されている（例えば、特許文献１参照）。また、顔面の鼻口部を覆うように立体形状が形成されることで顔面との密着性を良くしたマスクも開示されている（例えば、特許文献２参照）。
【先行技術文献】
【特許文献】
【０００６】
【特許文献１】特開2020-56123号公報
【特許文献２】特開2020-45598号公報
【考案の概要】
【考案が解決しようとする課題】
【０００７】
近年では、マスクの需要の急激な上昇に伴い、マスク用型紙を用いて家庭でミシンなどを用いて布製マスクが縫製されることも多い。しかしながら、このようにして製作される繰り返し使用可能な布製マスクにおいては、着用時に鼻近傍に隙間が生じて、ここから花粉やウイルス飛沫等が侵入する虞がある。
【０００８】
また、布製マスクではマスク面の上端縁と顔表面との間に生じた隙間から呼気が漏れ易く、ユーザの眼鏡が自らの呼気で曇るなど、ユーザがマスク着用時に不快に感じることもある。
【０００９】
さらに、マスク面の上端縁と顔表面との間に生じる隙間をできるだけ小さくするための構造は様々であって、特に、マスク用型紙を用いて家庭用ミシンなどを用いて製作可能なマスクにおいて当該隙間の発生をなくす新規且つ製作容易なマスクの構造は非常に重要である。
【００１０】
本考案は、上記課題に鑑みてなされたものであり、着用時にマスク面の上端縁と顔表面との間に隙間が生じることを適切に防止し、この結果、ウイルスなどの侵入をより確実に抑止できるマスクを提供することを目的とする。
【課題を解決するための手段】
【００１１】
上記課題を解決するため、本考案は、略矩形状のマスク面と、当該マスク面の左右端に設けられた耳紐と、を備えるマスクであって、前記マスク面は、その上端縁と下端縁から連続形成され、且つ表側から裏側に向けて折り返された折り返し面と、当該折り返し面を折り返した状態で、当該マスク面の上端近傍及び下端近傍において横方向に縫われた一対の横ステッチと、当該折り返し面を折り返した状態で、当該マスク面の右端近傍及び左端近傍において縦方向に縫われた一対の縦ステッチと、を有することを特徴とする。
【００１２】
このマスクにおいて、前記折り返し面は、前記マスク面の長側辺と同じ長さの長辺を有した矩形状であり、且つ前記マスク面の表面積の１／５〜１／３の範囲内となるように折り返されることが好ましい。
【００１３】
このマスクにおいて、前記マスク面は、布生地で形成され、前記折り返し面は、同一形状の布生地が二重に折り重なって構成されることが好ましい。
【考案の効果】
【００１４】
本考案に係るマスクは、略矩形状のマスク面と、このマスク面の左右端に設けられた耳紐とを備える。マスク面は、その上端縁と下端縁から連続形成されて、且つ表側から裏側に向けて折り返された折り返し面と、折り返し面を折り返した状態でマスク面の上端近傍及び下端近傍において横方向に縫われた一対の横ステッチと、折り返し面を折り返した状態でマスク面の右端近傍及び左端近傍において縦方向に縫われた一対の縦ステッチとを有する。この構成により、本考案に係るマスクでは、着用時にマスク面の上端縁と顔表面との間に隙間が生じることを適切に防止し、この結果、ウイルスなどの侵入をより確実に抑止できる。
【図面の簡単な説明】
【００１５】
【図１】本考案の実施の形態に係るマスクの平面図である。
【図２】同上マスクのマスク面の平面図である。
【図３】同上マスク面用型紙の参考図である。
【図４】（ａ）同上マスク面の斜視図、（ｂ）同上マスク面の側面図である。
【図５】（ａ）同上マスクのゴム通し部用型紙の図、（ｂ）同上ゴム通し部の製作方法の説明図である。
【図６】同上マスクの製作方法の説明図である。
【図７】同上マスクの製作方法の説明図である。
【図８】同上マスクの使用状態を示す参考図である。
【図９】本実施の形態の変形例に係るマスク面用型紙の参考図である。
【考案を実施するための形態】
【００１６】
（実施の形態）
本考案の実施の形態に係るマスクについて図１乃至図８を参照して説明する。このマスクは、織物などの布生地などからマスク用型紙を用いて縫製でき、使用後に洗濯をすることで、マスク表面や裏面に付着した微粒子や付着物、ウイルスなどを除去して再度使用可能となる。
【００１７】
最初に、図１を参照して、本実施の形態に係るマスク１の全体構成に関して説明する。マスク１は、略矩形状のマスク面１ａ、ゴム通し部１ｂ、及びの左右端に設けられたゴム紐（耳紐）１ｃを備える。
【００１８】
マスク面１ａは、微粒子やウイルスの侵入を防御するためのフィルタの機能を有するガーゼなどの柔軟な布生地で構成され、図１においては、折りひだが４本ある４本プリーツの例を示す。マスク１の着用時には、プリーツの部分が上下方向に拡張することで使用者の顔にフィットする。なお、布生地は、麻や木綿、絹などの洗濯が可能な生地で良い。
【００１９】
マスク面１ａは、図２に示すように略矩形状を有し、その上下辺が長側辺となる。マスク面１ａの上端縁１０と下端縁１１から連続形成されて、且つ表側から裏側に向けて折り返された矩形状の折り返し面１２と、折り返し面１２を折り返した状態で、マスク面１ａの上端近傍及び下端近傍において横方向に縫われた一対の横ステッチＨ１，Ｈ２と、マスク面１ａの右端近傍及び左端近傍において縦方向に縫われた一対の縦ステッチＶ１，Ｖ２と、を有する。
【００２０】
折り返し面１２は、マスク面１ａの長側辺と同じ長さの長辺を有した矩形状であり、且つマスク面１ａの表面積の１／５〜１／３の範囲内となるように折り返される。例えば、マスク１の上下幅を９ｃｍとした場合、折り返し面１２は１．８ｃｍ〜３ｃｍ程度の上下幅となるように折り返される。
【００２１】
ゴム通し部１ｂは、布生地などから構成され、マスク面１ａの右端縁及び左端縁に縫着されることでマスク面１ａに一体化された挿通孔を形成し、この挿通孔に、耳掛け用として伸縮性を有するゴム紐１ｃが挿通される。なお、ゴム紐１ｃは、伸縮性のない紐材で構成してもよい。
【００２２】
次に、図３〜図７を参照して、本実施の形態に係るマスク１を家庭などにおいてマスク面用型紙２から製作する手順に関して説明する。図３に示すマスク面用型紙２は折りひだが４本ある「４本プリーツ」の型紙であり、縫製後のマスク面１ａのサイズは幅１８０mm×高さ１００mm程度となる。
【００２３】
最初に、図３に示すマスク面用型紙２を用いてマスク面１ａを製作するため、生地の目（生地の目の方向）を確認し、折り目にノッチ入れやチャコペンなどを用いて印を付けながら型紙の周囲を裁断する。
【００２４】
次に、マスク面１ａにプリーツを付けるために、生地をマスク面用型紙２に従って折り線（山折り、谷折り）で折り、しつけなどで留め、アイロンなどでプレス加工をして、プリーツを定着させる。この結果、図４（ａ）に示すようなマスク面１ａが製作される。この際、図４（ｂ）に示すマスク面１ａの側面視から分けるように、折り返し面１２は同一形状の布生地が二重に折り重なって構成されている。なお、生地の重ね枚数次第でフィット感が変わるため、その他の様々なアレンジをすることも可能である。
【００２５】
そして、上下端から例えば約５ｍｍの位置を直線ミシンで横方向に縫うことで横ステッチＨ１，Ｈ２、左右端から例えば約１ｃｍの位置を直線ミシンで縦方向に縫うことで縦ステッチＶ１，Ｖ２を形成しながら、折り返し面１２が縫合される。
【００２６】
次に、図５に示すゴム通し部用型紙３を用いてゴム通し部１ｂを製作する。図５（ａ）に示すゴム通し部用型紙３の長辺は、マスク面用型紙２の短辺と略同じ長さとなる。そして、図５（ｂ）に示すように、ゴム通し部用型紙３の縫い代を中表に合わせ、直線ミシンで縫い（図５（ｂ）の（１）で示す箇所）、また、縫い目の手前までハサミなどで切り込みを入れる（図５（ｂ）の（２）で示す箇所）。
【００２７】
そして、ゴム通し部１ｂをマスク面１ａの左右端にセットするが、ここでは図６及び図７を参照しながら、コバステッチ使用で、ゴム通し部１ｂのステッチが表面から見える製作方法を説明する。
【００２８】
図６に示すように、マスク面１ａの左右端をゴム通し部１ｂで包むように中表で合わせ、直線ミシンで縫う（図６の（１）で示す箇所）。その後、縫い代を５ｍｍ程度にはさみなどを用いて切り揃える（図６の（２）で示す箇所）。この際、目の粗い生地やほつれやすい生地の場合は少なめに切り落とすか、ほつれ止め液などを使用する。
【００２９】
なお、プリーツを畳んだマスク面１ａの厚みを２．５ｍｍと想定してマスク面用型紙２を記載しているが、マスク面１ａの生地の厚みやゴム紐１ｃのボリュームによってゴム通し部１ｂのパーツの縦幅・横幅を加減することができる。例えば、最初は予め広めに裁断し、縫製時に調整する方法が良い。
【００３０】
最後に、図７に示す仕上げ工程では、マスク面１ａを表に返し、アイロンでプレスし整え（図７の（１）で示す箇所）、その後、マスク面１ａの左右端側に直線ミシンでゴム通し部１ｂを縫い留める（図７の（２）で示す箇所）。そして、ゴム通し部１ｂに形成された挿通孔にゴム紐１ｃ（耳紐）を通すことで（図７の（３）で示す箇所）マスク１が製作される。
【００３１】
次に、本実施の形態に係るマスク１の着用時における状態を、図８を参照して説明する。着用時において、マスク１は、ゴム紐１ｃが耳に掛けられ、マスク面１ａは使用者の顔表面の起伏に沿って変形する。この際、折り返し面１２を折り上げて、鼻上部に展開されることで、折り返し面１２が鼻近傍の顔形状にフィット（ノーズフィット）して、顔表面とマスク面１ａの上端縁との間に形成される隙間を封止し、飛沫などによるウイルスが鼻近傍の隙間から侵入することを適切に防止する。また、使用者の吐息がマスクと顔の間に形成される隙間から漏れることがなくなり、眼鏡が曇りにくくなるという効果も有する。なお、マスク面１ａの内側や表面側にＰＭ２．５やウイルスを捕捉可能な専用シートや専用ガーゼを併用することもでき、また、ノーズフィットの立ち上がりが不要な場合は折り返し面１２を展開せずに使用できることは言うまでもない。
【００３２】
以上の説明のように、本実施の形態に係るマスク１は、略矩形状のマスク面１ａと、マスク面１ａの左右端に設けられたゴム紐１ｃと、を備える。マスク面１ａは、その上端縁１０と下端縁１１から連続形成されて、且つ表側から裏側に向けて折り返された折り返し面１２と、折り返し面１２を折り返した状態でマスク面１ａの上端近傍及び下端近傍において横方向に縫われた一対の横ステッチＨ１，Ｈ２と、折り返し面１２を折り返した状態でマスク面１ａの右端近傍及び左端近傍において縦方向に縫われた一対の縦ステッチＶ１，Ｖ２と、を有する。この構成により、マスク１では、家庭などでマスク用型紙を用いて布生地から容易に縫製が可能な繰り返し使用できるマスクであって、着用時にマスク面１ａの上端縁１０と顔表面との間に隙間が生じることを適切に防止し、この結果、ウイルスなどの侵入をより確実に抑止できる。
【００３３】
また、マスク１を使用すると、着用時にマスク面１ａの上端縁１０と顔表面との間の隙間から使用者の吐息が漏れることがなくなり、眼鏡が曇りにくくなるという効果も有する。
【００３４】
（変形例）
本実施の形態の変形例について図９を参照して説明する。本変形例に係るマスク面用型紙４は、図９に示すように２本の折りひだのある「２本プリーツ」となる。マスク面用型紙４を用いた製作手順において、上述した４本プリーツマスクとの違いはプリーツ数のみである。通常、厚めの生地や、生地を重ねて使う場合、また手軽に作りたい時などは「２本プリーツ」のほうが好ましい。このような構成においても、上記実施の形態１を同様の作用効果を奏することができる。
【００３５】
なお、本考案は、上記実施の形態の構成に限られず、考案の趣旨を変更しない範囲で種々の変形が可能である。ゴム通し部１ｂのステッチ方法は上記のコバステッチ仕様に限定されるものではなく、例えば、ゴム通し部１ｂの際に落としミシンをかける落としミシン仕様とすることもできる。また、マスク面１ａに形成される横ステッチＨ１，Ｈ２及び縦ステッチＶ１，Ｖ２に加えて折り返し面１２の左右両端側で斜め方向に走るステッチをすることも考え得る。
【符号の説明】
【００３６】
１  マスク
１ａ  マスク面
１ｂ  ゴム通し部
１ｃ  ゴム紐（耳紐）
２  マスク面用型紙
３  ゴム通し部用型紙
１０  上端縁
１１  下端縁
１２  折り返し面
Ｈ１，Ｈ２  横ステッチ
Ｖ１，Ｖ２  縦ステッチ
【図１】
0003227244.tif 000003
【図２】
0003227244.tif 000004
【図３】
0003227244.tif 000005
【図４】
0003227244.tif 000006
【図５】
0003227244.tif 000007
【図６】
0003227244.tif 000008
【図７】
0003227244.tif 000009
【図８】
0003227244.tif 000010
【図９】
0003227244.tif 000011